(57)【特許請求の範囲】
【請求項１】
上下の巾寸法を、装置部材（ａ）の端部に装設せる取付部（１）の後端面に開設した開放口（１０）の上下の開口巾より広くし、左右の巾寸法を、前記取付部（１）の内部の上下高さに略対応する寸法とした角板状の座板（２）と、その座板（２）に設けたボルト挿通口（２１）に挿通する頭部（３０）付きの締付ボルト（３）と、その締付ボルト（３）の螺子部（３１）に螺合する締付ナット（４）と、からなる装置部材取付用の取付金具（ｃ）において、座板（２）を、左右の側辺が、締付ボルト（３）の螺子締めの方向に傾斜した斜辺となる菱形に形成し、ボルト挿通口（２１）を、そのボルト挿通口（２１）の中心点（Ｐ）が、当該座板（２）の後面視において、対角をそれぞれ結ぶ二本の仮想対角線（ｚ）の交点位置付近に位置するよう配位して開設したことを特徴とする建築構造物における装置部材取付用の取付金具。
【請求項２】
座板（２）の左右の側辺の傾斜角度を座板（２）の上辺及び底辺に対し略４５度に傾斜する角度に設定したことを特徴とする請求項１記載の建築構造物における装置部材取付用の取付金具。
【請求項３】
座板（２）に開設するボルト挿通口（２１）を、当該座板（２）の後面視において、締付ボルト（３）の螺子部（３１）の外径に対応する巾で、上下方向に連続する長穴状で、かつ、そのボルト挿通口（２１）の上下方向に沿う中心線（Ｘ）の仮想延長線が、該座板（２）の上下の辺縁に対し略直角に交差する上下方向の長穴状に形設したことを特徴とする請求項１記載の建築構造物における装置部材取付用の取付金具。
【発明の詳細な説明】
【技術分野】
【０００１】
本発明は、アルミ合金等の金属材で成形して、建築構造物の外側または内側に装置せしめるルーバー材・てすり材・笠木材等の装置部材を、取付材に対して取付けるための、座板とそれに嵌挿する締付ボルトとその締付ボルトを締結する締付ナットとからなる建築構造物における装置部材取付用の取付金具についての改良に関する。
【背景技術】
【０００２】
金属材で成形して、建築構造物の外側または内側に装置せしめるルーバー材・てすり材・笠木材等の装置部材の取付けは、その装置部材ａの基端側に、図１・図２にあるように、あり溝状の断面形状をもって長手方向に連続する取付部１を、アルミ合金等の金属材の押出成形により装置部材ａを成形する際に一体に連続させた構造として形設しておき、この取付部１内に、角板状の座板２を、それに頭部３０付きの締付ボルト３の頭部側が嵌挿された状態として挿入して、嵌挿した締付ボルト３の螺子部３１が、前記断面あり溝状の取付部１の外部に対する開放口１０から突出する状態とし、この突出させた締付ボルト３の螺子部３１を予め所定の個所に配位して設置しておく取付材ｂの取付板部５０に開設したボルト挿通穴５１に挿通し、この締付ボルト３の螺子部３１に締付ナット４を螺合して締め付けることで、座板２と取付材ｂの取付板部５０とであり溝状の取付部１のの後壁１１を挟み込むように締結することにより行っている。
【０００３】
この、装置部材ａを、取付材ｂに組み付けセットするための、座板２と締付ボルト３と締付ナット４とからなる装置部材取付用の取付金具ｃは、通常、図２及び図３に示しているように、ステンレス板などの金属板から形成される上下の高さ寸法Ｈが、装置部材ａの基端側に形設した取付部１の後端面に開設した開裂状の開放口１０の上下の開口巾Ｋより広い寸法で、左右方向の巾寸法Ｄが、前記取付部１の内腔の上下高さｈに略対応する寸法となる後面視において左右に横長の略長方形乃至矩形をなす寸法形状に形成した座板２と、それの中央部位に開設したボルト挿通口２１に挿通する頭部３０付きの締付ボルト３と、この締付ボルト３の螺子部３１に螺合する締付ナット４とにより構成される。
【０００４】
そして、この取付金具ｃを用いて行う装置部材ａの取付材ｂへの組み付けは、取付金具ｃの角形の座板２を、それに締付ボルト３の頭部３０側が嵌挿された状態として、装置部材ａの取付部１内に挿入し、その取付部１の後壁１１の内面に接合するよう位置させ、この座板２に予め挿通しておく頭部３０付きの締付ボルト３の螺子部３１を、装置部材ａの取付部１の後壁１１に形設してある開放口１０から後方に突出させ、この螺子部３１を、取付材ｂの取付板部５０に形設しておくボルト挿通穴５１に通して、その取付板部５０の後面側に突き出し、この螺子部３１に締付ナット４を螺合して締め付けることで、図４にあるように、装置部材ａの取付部１後面の開放口１０の上下に位置する後壁１１・１１を座板２と取付材ｂの取付板部５０とで挟持して固定装着せしめることで行なわれる。
【０００５】
この取付材ｂに装置部材ａを組み付けるための装置部材取付用の取付金具ｃは、通常、それの座板２を、それの上下の高さ寸法Ｈが、装置部材ａの端部に設けた取付部１の後端面の開放口１０の上下の開口巾Ｋより少し大きく、左右の巾寸法Ｄが取付部１内における取付部１の床板１２上面から天板１３下面までの高さ寸法ｈに略対応する寸法となる長方形乃至矩形状の角板状で、かつ、左右の中央線ｙよりも、座板２を締付ボルト３により回動させるときの回動方向前方に位置するコーナー部分を、弧状または斜辺状の切除した形状のものに形成しておき、この座板２を、それに締付ボルト３を嵌挿して、その締付ボルト３の螺子部３１が取付部１後面側の開放口１０から後方に突出した状態として、取付部１の長手方向の端部のこぐちから、取付部１の内部に装入し、所定位置にスライドさせ、その位置において、開放口１０から突出している締付ボルト３の螺子部３１を操作することで、座板２を略９０度回転させ、左右の側辺が、図３の右側に示しているように、取付部１の床板１２の上面と天板１３の下面とにそれぞれ衝合した固定状態とし、この状態において、締付ボルト３の螺子部３１を、取付材ｂの取付板部５０に開設したボルト挿通穴５１に挿通し、締付ナット４を螺合して締め付けることで、この座板２を取付部１に対し締着、固定して装置部材ａを取付材ｂに対し取り付けるようにしている。
【０００６】
このとき、座板２の取付部１内への挿入を、締付ボルト３が挿通された状態として行うのは、先に座板２だけを取付部１内に挿入すると、その座板２に締付ボルト３を、頭部３０が座板２の前面に位置する状態として座板２のボルト挿通口２１に挿通することが出来なくなることによるものである。
【０００７】
また、締付ボルト３を挿通した座板２を、装置部材ａの端部に設けた取付部１の長手方向の端部のこぐちから取付部１内に挿入するのは、座板２を寝かせた姿勢として開放口１０から挿入しようとすると、図５にあるように、座板２に挿通した締付ボルト３が、取付部１後面の開放口１０の口縁に支えて、挿入ができなくなることによる。
【０００８】
この装置部材取付用の取付金具ｃには、長方形乃至矩形状の角板状に成形した座板２を、締付ボルト３の挿通がなされた状態で、横長の姿勢として、取付部１のこぐちから取付部１内に挿入し、取付部１後面の開放口１０から突出する締付ボルト３の螺子部３１の操作により、横長の姿勢とした状態のまま、開放口１０に沿い取付部１内をスライドさせ、所定の位置にきたところで、９０度回転させて、左右の側辺を取付部１の床板１２と天板１３とに衝合させて固定状態とし、この状態において締付ナット４により締結を行うことから、座板２の、左右の側辺と上下の辺縁とのコーナー部分に、取付部１内部における座板２の回転作動を円滑なものとするために円弧状又は斜めの切除部を設けている。
【０００９】
座板２が、締付ボルト３に螺合した締付ナット４の締付けにより締結作用を行う部分は、図３の右半側にあるように、左右の側辺が取付部１内の天井面と床面とに突き当たる状態に回転させたときに、取付部１後面側の上下の後壁１１・１１の内面と重合するようになる上下の端縁部分だけであり、開放口１０に対面してくる中間部分は締結には作用しない。
【００１０】
このことから、この形態の取付金具ｃには、取付部１内に挿入した座板２を９０度回転させるときの作動が円滑に行われるように、座板２のコーナー部分を切除していることで、この切除している分だけ締結作用を行う部分の面積を小さくして、締結を弱くしている問題がある。
【００１１】
また、挿入した座板２は、それに挿入した締付ボルト３中心に締付ボルト３の締付方向に９０度回転させて左右の側辺が、取付部１内部の床面と天井面とにそれぞれ衝合して取付部１に対し固定された状態とするが、このとき、座板２の製作の誤差により、左右の巾寸法が取付部１内部の床面から天井面までの高さ寸法に正しく一致していないか、または、コーナー部分の切除が不足している場合に、座板２が９０度回転して左右の側辺が取付部１内部の床面と天井面に平行して当接する状態となる前に、左右の側辺の一部が取付部１内部の床面・天井面に支えて、回動が阻止されるか、９０度を超して回動して左右の側辺の一部が取付部１内部の床面・天井面に支えることで回動が阻止されるようになるかして、座板２が傾斜した状態で固定されるようになって、締結・固定を不完全にする問題がある。
【００１２】
また、座板２を、左右の側辺が取付部１内部の床面および天井面に平行する状態となるよう、正しく９０度回転させることがむずかしい問題がある。
【００１３】
取付部取付用の取付金具ｃの座板２には、図６に示している例の座板２のように、それの上下の巾寸法Ｈを、取付部１の後面の開放口１０の上下の開口巾より狭くして、締付ボルト３を挿通した状態において、取付部１の後面の開放口１０から取付部１内に装入できるようにした形態のものもある。
【００１４】
この形態の取付用の取付金具ｃの座板２は、ステンレス板などの金属板から角板状に成形することについては、前述の形態のものと同様であるが、形成する座板２を、図６において、図の左半側に示しているように、左右の巾寸法Ｄが、装置部材ａの端部に設けた取付部１内部の床板１２上面から天板１３下面までの高さ寸法ｈに略対応し、上下の高さ寸法Ｈが取付部１後端面の開放口１０の上下の開口巾Ｋより狭くした細巾の帯状片の形状に形成し、これにより、締付ボルト３を挿通した状態の座板２を、取付部１の開放口１０から取付部１内に挿入し、挿入し終えたところで、略９０度回転させることで、図６の右半側に示しているように、左右の側辺がそれぞれ取付部１内部の床板１２上面と天板１３下面とに衝合して、取付部１の後端面を形成する上下の後壁１１・１１の内壁面間に渡架された状態となって、取付部１に対し固定状態となるようにしている形態のものである。
【００１５】
この形態の取付金具ｃの座板２は、締付ボルト３を嵌挿した状態で取付部１内に挿入して、左右の側辺が取付部１内部の床面および天井面に平行して当接する状態にさせるときの回動作動が正しく行われるようにするために、コーナー部分に形成する切除部分により、座板２の締付時の有効な接触面積を小さくして締結を弱くする問題と、製作誤差により、座板２を取付部１内に挿入して、左右の側辺が取付部１の床面および天井面と平行して当接する状態位置に正しく９０度回動させることがむずかしい問題とが、前述の形態の取付金具ｃの座板２と同様にあるものである。
【００１６】
しかも、座板２を、取付部１後端面の開放口１０から挿入できるよう、上下の巾寸法が開放口１０の上下の開口巾より狭い細巾の帯状片に形成していることで、座板２にゆるみ回動が生じ、座板２が開放口１０に沿う姿勢に回動してきたときに、開放口１０から飛び出るようになって、装置部材ａの取付材ｂに対する組付を不確実なものとする問題のあるものである。
【発明の開示】
【発明が解決しようとする課題】
【００１７】
本発明において解決しようとする課題は、角板状に形成した座板２と、その座板２に設けたボルト挿通口２１に挿通する締付ボルト３と、その締付ボルト３の螺子部３１に螺合して締結する締付ナット４とからなる装置部材取付用の取付金具ｃにおいて、締付ボルト３を嵌挿して装置部材ａ端部の取付部１内に挿入した座板２を、それの左右の側辺が、取付部１内部の床面と天井面とにそれぞれ平行して対向する状態の姿勢に回転させる際に、その座板２を円滑に回転さす作動が、座板２の締結時の有効な締結面積に減少を生ぜしめずに得られるようにすることと、この、座板２を、それの左右の側辺が取付部１の床面と天井面とにそれぞれ平行して対向する状態姿勢に回動させる作動が、迅速な操作で得られるようにすることにある。
【課題を解決するための手段】
【００１８】
上述の課題を解決するための本発明手段は、装置部材取付用の取付金具の座板の形状および機能について種々の検討を加えて得られた知見に基づいてなされたものである。
【００１９】
即ち、角板状に形成する座板は、それの形状を、後面視において、左右の側辺が、締付ボルトの螺子締めの回動方向に傾く斜辺となり、それら斜辺間の間隔が、組み付けるルーバーの床面から天井面までの高さ寸法に対応する寸法となる菱形に成形し、締付ボルトを挿通するボルト挿通口を、そのボルト挿通口の中心点が、当該座板の後面視において、対角をそれぞれ結ぶ二本の仮想対角線の交点付近に位置するように開設しておけば、座板をルーバー内に挿入して、嵌挿しておいた締付ボルト中心に座板を回転させて、左右の側辺のそれぞれが取付部内部の床面と天井面とに平行して対向する状態姿勢に転換させるとき、取付部内部の床面・天井面に干渉して支えを生ぜしめる座板のコーナー部分は、左右の側辺を斜辺とすることで切除した状態にあることから、この回転は円滑に行われる。そして、この切除された状態となるコーナー部分は、反対側の側辺においては、付加された状態となる。このため座板は接触面積に減少をきたすことなく、姿勢の変換回転させる際座板のコーナー部に生じる干渉が解消されるようになる。
【００２０】
そして、左右の側辺を、座板を回転さす方向に傾斜する斜辺に形成してあることで、図９に示しているよう、左右の側辺の傾斜角度を４５度とした例について具体的にいえば、座板２は既に４５度回転させた状態となっていることになるので、さらに４５度回転させるだけで、図３に示している従前の座板を９０度回転させたときと同じに、左右の側辺が取付部内部の床面・天井面と平行する状態となることから、少しの回転角度量で、姿勢変換のための座板２の回転作動が終了することになる。という知見が得られたことに基づいてなされたものである。
【００２１】
そして、このことから、本発明においては、上述の課題を解決するための手段として、
上下の巾寸法を、装置部材ａの端部に装設せる取付部１の後端面に開設した開放口１０の上下の開口巾より広くし、左右の巾寸法を、前記取付部１の内部の上下高さに略対応する寸法とした角板状の座板２と、その座板２に設けたボルト挿通口２１に挿通する頭部３０付きの締付ボルト３と、その締付ボルト３の螺子部３１に螺合する締付ナット４と、からなる装置部材取付用の取付金具ｃにおいて、座板２を、左右の側辺が、締付ボルト３の螺子締めの方向に傾斜した斜辺となる菱形に形成し、ボルト挿通口２１を、そのボルト挿通口２１の中心点Ｐが、当該座板２の後面視において、対角をそれぞれ結ぶ二本の仮想対角線ｚの交点位置付近に位置するよう配位して開設したことを特徴とする建築構造物における装置部材取付用の取付金具。
を提起するものである。
また、これに併せて、
座板２の左右の側辺の傾斜角度を座板２の上辺及び底辺に対し略４５度に傾斜する角度に設定したことを特徴とする請求項１記載の建築構造物における装置部材取付用の取付金具。および、
座板２に開設するボルト挿通口２１を、当該座板２の後面視において、締付ボルト３の螺子部３１の外径に対応する巾で、上下方向に連続する長穴状で、かつ、そのボルト挿通口２１の上下方向に沿う中心線Ｘの仮想延長線が、該座板２の上下の辺縁に対し略直角に交差する上下方向の長穴状に形設したことを特徴とする請求項１記載の建築構造物における装置部材取付用の取付金具。
を提起するものである。
【発明の効果】
【００２２】
本発明手段による建築構造物における装置部材取付用の取付金具は、左右の側辺が、締付ボルトの螺子締めの方向に傾斜した斜辺となる菱形に形成して、ボルト挿通口を、中心点が当該座板の後面視において二組の対角をそれぞれ結ぶ二本の仮想対角線の交点位置付近に位置するよう配位して開設していることで、座板を取付部内部に挿入して、座板に挿通しておいた締付ボルト中心に座板を左右の側辺が取付部内部の床面と天井面とに平行して対向する姿勢に回転させる際に干渉を生ぜしめるコーナー部分の消去を行っているのだから、締結時に取付部の後面側の上下の後壁に接合する座板の接触面の面積に実質的に削減を生ぜしめることなく、干渉部位の消去が得られるようになる。
【００２３】
また、取付部の内部に挿入した座板は、斜辺とした左右の側辺の傾斜角度の分だけ、座板を回転させた状態となるので、座板を少しの回動角度量で、左右の側辺が取付部の床面と天井面とに平行して対向する姿勢に回転変換する作動が得られるようになる。
【発明を実施するための最良の形態】
【００２４】
次に本発明の実施の形態を、実施例につき図面に従い詳述する。
【実施例１】
【００２５】
図７乃至図２１は、本発明による建築構造物における装置部材取付用の取付金具における座板の第１の実施例を示し、図７は同上取付金具の座板を、装置部材の後端部の取付部の内部に挿入した状態における一部破断した後面図、図８は同上座板の前面図、図９は同上の座板の後面図、図１０は同上の図８に示す状態における底面図、図１１は同上の図９に示す状態における底面図、図１２は図８のＡ−Ａ線断側面図、図１３は図９のＢ−Ｂ線縦断側面図、図１４は同上の座板に挿通する締付ボルトとそれに螺合する締付ナットの平面図、図１５は同上締付ボルトと締付ナットの前面図、図１６は同上締付ボルトとそれに螺合する締付ナットの側面図、図１７は同上の締付ボルトの図１６の状態における前面図、図１８は同上の座板のルーバー後端部内に挿入した状態時の後面図、図１９は同上状態の座板を螺子締めの方向に回転させて、左右の側辺がルーバーの床面と天井面とに平行して対向するようにした状態時の後面図、図２０は同上の座板を締付ボルトとによりルーバーを取付材に取り付けた状態時の側面図、図２１は同上状態の縦断側面図を示す。
【００２６】
座板２は、ステンレススチール等の金属材から左右の側辺を互いに平行する斜辺とした菱形の板状乃至盤状に成形したもので、中心部位には、前後に貫通するボルト挿通口２１が開設してある。斜辺とした左右の側辺の傾斜方向は、該座板２のボルト挿通口２１に挿通する締付ボルト３に螺合せしめる締付ナット４による螺子締めの方向に設定してあり、後面視において、図８にあるよう右側に傾斜するようにしてある。
【００２７】
この斜辺とする左右の側辺の傾斜角度は、この実施例においては４５度にしてある。
【００２８】
この例の座板２は、図１８及び図１９にて説明しているように、上下寸法が４０ミリで、取付部１後面に開設した開放口１０の上下の開口巾が２０ミリ、取付部１の内部の床面１２から天井面１３までが３７ミリとなる寸法形状に作られた装置部材ａの取付部１に適応するように形成したものであり、板厚が１２ミリで、上下の巾寸法ｈが取付部１後面の開放口１０の上下の開口巾より広い２５ミリ、左右の巾寸法Ｄが、取付部１内部の天井高さに略対応する３７ミリとした形状のものに形成してある。
【００２９】
この座板２の中心部位に前後に貫通させて開設するボルト挿通口２１は、座板２の後面視において、図９にあるように、二組の対角をそれぞれ結ぶ二本の仮想対角線ｚの交点付近位置に、該ボルト挿通口２１の中心が位置するように配位して開設してある。
【００３０】
そして、このボルト挿通口２１は、この例においては、後面視において、締付ボルト３螺子部３１の外径に対応する巾で上下方向に連続する長穴状で、かつ、そのボルト挿通口２１の上下方向に沿う中心線Ｘの仮想延長線が、図７に示しているように、座板２の底辺および上辺に対し略直角に交差するように配位して形設してある。
【００３１】
そして、この後面視において上下に長い長穴状としたボルト挿通口２１は、図１２・図１３の断面図にあるよう、座板２の前面側に寄る部位においては上下方向の口径が小さく、後面側に寄る部位に向け順次上下方向の口径を大きくするよう、縦断した側面視において横向きのコーン状をなす形状の長穴に形成してある。
【００３２】
さらに、この実施例の座板２は、前面側の上下の中間部位に、後面側に向け円弧状に刳り込む凹溝ｗが、左右方向に連続するよう形設してある。また座板２の上下の端面は、それぞれ外側に張り出す弧面に形成してあり、かつ、座板２の上下の端面を形成するそれぞれの弧面は、前方に向かうに従い上下の弧面の間の距離を狭くする形状に形成してあって、座板２の前面側を先細りとなるようにしている。
【００３３】
この座板２のボルト挿通口２１に挿通して、座板２の締結を行う締付ボルト３は、頭部３０と螺子部３１とを具備する通常のものであるが、この例にあっては、それの頭部３０を、螺子部３１の軸線方向に対し直交する左右方向に長い腕木状に形成してあって、締付ボルト３の全体の形状を、平面視において図１４にあるようＴ字形に形成している。そして、この左右方向に長い腕木状の頭部３０は、それの後面側を、図１６に示しているように、側面視において、後方に向け円弧状に膨出する弧面Ｔに形成している。この弧面Ｔは、それの曲率が、前述の座板２の前面側の上下の中間部位に形設した円弧状の凹溝ｗの曲率に一致するように形成してあって、これにより、座板２のボルト挿通口２１に締付ボルト３を挿通したときに、腕木状の頭部３０の長手方向を凹溝ｗの連続する方向に沿わせたときに、この頭部３０と凹溝ｗとが密に嵌り合い、締付ボルト３と座板２とが、締付ボルト３中心の回転方向に係合し合うようにしてあって、座板２を取付部１内に挿入した状態において、座板２を回転させる作動が、締付ボルト３を回転させる作動により確実に得られるようにしている。
【実施例２】
【００３４】
図２２乃至図３４は別の実施例を示している。この例は、座板２を、ステンレススチール等の金属材により、後面視において、左右の側辺が螺子締めの回動方向に傾く斜辺とした菱形をなす板状乃至盤状に成形することについては、前述の例と変わりがないが、前述の例の座板２が前面側に側面視において円弧状に刳り込む凹溝ｗを形設しているのに対し、この例のものにおいては、前面側を凹溝ｗのない平面に形成して、座板２全体を平板状に形成し、また斜辺とする左右の側辺の傾斜角度が前述の例の座板２にあっては４５度の角度としているのに対し、３０度の角度に設定し、さらに、座板２に開設したボルト挿通口２１に嵌挿して該座板２を締結するように用いる締付ボルト３が、前述の実施例のものにおいては、頭部３０を座板２の前面側に形設せる凹溝ｗに嵌合する左右に長い腕木状に形成して締付ボルト３の全体形状を平面視においてＴ字形をなす特殊な形状のものとしているのに対し、通常の形態の締付ボルト３を用いるようにしている例である。
【００３５】
この例の座板２は、図２１乃至図２６に示しているように、平板状に形成してあり、また、斜辺とする左右の側辺の傾斜角度は、図２１にあるように、締付ボルト３による螺子締めの回動方向に３０度に傾斜する角度に設定してある。
【００３６】
そして、この座板２に開設せるボルト挿通口２１に嵌挿して締結を行う締付ボルト３は、図２７乃至図３０に示しているように、頭部３０を六角ナット状に形成した通常の形態のものとしている。
【００３７】
また、座板２の中心部位に開設するボルト挿通口２１は、図２１にあるように、座板２の後面視において、二組の対角をそれぞれ結ぶ二本の仮想対角線ｚの交点付近に中心点が位置するように配位して、該座板２を前後に貫通するよう開設するが、図２２・図２３・図２７にあるよう、前述の実施例のものと同様に、後面視において、上下方向の中心線Ｘの延長線が、座板２の上辺及び下辺に対し略直角に交差するようになる上下方向の長穴状に形設してあり、かつ、その長穴状のボルト挿通口２１は、座板２の前面側においては、上下の口径巾が狭く座板２の後面側に向かうに従い上下に口径巾が拡大していく縦断側面図において横向きのコーン状をなす形状のものに形設してある。
【００３８】
この例の座板２は、装置部材ａの端部に設けた取付部１の後面の開放口１０の開口巾が２０ミリで、その取付部１の内部の床面から天井面までの高さが３７ミリになっている装置部材ａの取付用として作られたもので、座板２の上下の巾寸法が２５ミリ、座板２の左右の側辺間の寸法が３７ミリになっている。
【００３９】
この例の座板２は、図３２にあるように、装置部材ａの端部に設けた取付部１の内部に挿入した状態から、螺子締めの回転方向に、略６０度回転させることで、図３３にあるように、左右の側辺が取付部１内部の床面１２および天井面１３に対し略平行して対向するようになって、装置部材ａに対し固定状態となる。
【００４０】
そして、この状態において、締付ボルト３の螺子部３１を、取付材ｂの取付板５０に設けたボルト挿通穴５１に挿通して締付ナット４により締結すれば、図３２にあるよう取付部１後面側の上下の後壁１１・１１を、座板２と取付材ｂの取付板５０とで固く挟持して、装置部材ａを取付材ｂに固着して取り付けた状態とする。
【産業上の利用可能性】
【００４１】
取付金具ｃは、取付部１と同様の構造の取付部が端部に装設してあるものであれば、機械装置の装置部材の取付けにもそのまま利用が可能である。
【図面の簡単な説明】
【００４２】
【図１】ルーバー取付用の取付金具の、使用状態における前面側から見た斜視図である。
【図２】同上取付金具の同上状態における後面側から見た斜視図である。
【図３】同上取付金具の座板を、締付ボルトを嵌挿してルーバー内に挿入した状態および挿入した座板を９０度回転させた状態を示すルーバーの一部破断した後面図である。
【図４】同上取付金具の座板と締付ボルトによりルーバーを取付材に取り付けた状態の縦断側面図である。
【図５】同上取付金具の座板が、締付ボルトを嵌挿した状態では、ルーバー後端面の開放口からルーバー内に挿入することが困難であることを説明する説明図である。
【図６】座板を、ルーバー後端部からの挿入を可能とするよう細巾の帯板片に形成した例のルーバー内に挿入した状態及び挿入した座板を９０度回転させた状態を示すルーバーの一部破断した後面図である。
【図７】本発明手段を実施せる座板の機能の説明をするための、座板を挿入した状態のルーバーの一部破断した説明図である。
【図８】本発明手段の第１の実施例の座板の前面図である。
【図９】同上座板の後面図である。
【図１０】同上座板の底面図である。
【図１１】同上座板の上面図である。
【図１２】同上座板の側面図である。
【図１３】同上座板の図８におけるＢ−Ｂ線断面図である。
【図１４】同上座板の締結に用いる締付ボルトの平面図である。
【図１５】同上の座板に用いる同上締付ボルトの上面図である。
【図１６】同上の締付ボルトの側面図である。
【図１７】同上の締付ボルトの底面図である。
【図１８】同上の座板のルーバー内に挿入した状態の後面図である。
【図１９】同上の状態の座板を螺子締めの回動方向に４５度回転させた状態の後面図である。
【図２０】同上の座板を、締付ボルトと締付ナットとにより取付材に取り付けた状態の側面図である。
【図２１】同上の座板の同上状態時の縦断側面図である。
【図２２】同上の座板の第２の実施例の後面図である。
【図２３】同上実施例の座板の前面図である。
【図２４】同上の座板の底面図である。
【図２５】同上の座板の上面図である。
【図２６】同上の座板の側面図である。
【図２７】同上の座板の図２１における中央縦断側面図である。
【図２８】同上の座板に組み合わせて用いる締付ボルト及び締付ナットの平面図である。
【図２９】同上の締付ボルト及び締付ナットの側面図である。
【図３０】同上の締付ボルトの上面図である。
【図３１】同上の締付ボルトの底面図である。
【図３２】同上の座板をルーバー内に挿入した状態の後面図である。
【図３３】同上の状態の座板を６０度回転させた状態時の後面図である。
【図３４】同上の状態時の座板を、締付ボルト及び締付ナットによる締結で、ルーバーを取付材に取り付けた状態の縦断側面図である。
【符号の説明】
【００４３】
Ｄ    左右方向の巾寸法
Ｈ    上下の高さ寸法
Ｋ    上下の開口巾
Ｐ    中心点
Ｔ    弧面
Ｘ    中心線
ａ    装置部材
ｂ    取付材
ｃ    取付金具
ｈ    内法寸法の上下高さ
ｗ    凹溝
ｙ    中央線
ｚ    仮想対角線
１    取付部
１０    開放口
１１    後壁
１２    床板
１３    天板
２    座板
２１    ボルト挿通口
３    締付ボルト
３０    頭部
３１    螺子部
４    締付ナット
５０    取付板部
５１    ボルト挿通穴
【図１】
0004657277.tif 000002
【図２】
0004657277.tif 000003
【図３】
0004657277.tif 000004
【図４】
0004657277.tif 000005
【図５】
0004657277.tif 000006
【図６】
0004657277.tif 000007
【図７】
0004657277.tif 000008
【図８】
0004657277.tif 000009
【図９】
0004657277.tif 000010
【図１０】
0004657277.tif 000011
【図１１】
0004657277.tif 000012
【図１２】
0004657277.tif 000013
【図１３】
0004657277.tif 000014
【図１４】
0004657277.tif 000015
【図１５】
0004657277.tif 000016
【図１６】
0004657277.tif 000017
【図１７】
0004657277.tif 000018
【図１８】
0004657277.tif 000019
【図１９】
0004657277.tif 000020
【図２０】
0004657277.tif 000021
【図２１】
0004657277.tif 000022
【図２２】
0004657277.tif 000023
【図２３】
0004657277.tif 000024
【図２４】
0004657277.tif 000025
【図２５】
0004657277.tif 000026
【図２６】
0004657277.tif 000027
【図２７】
0004657277.tif 000028
【図２８】
0004657277.tif 000029
【図２９】
0004657277.tif 000030
【図３０】
0004657277.tif 000031
【図３１】
0004657277.tif 000032
【図３２】
0004657277.tif 000033
【図３３】
0004657277.tif 000034
【図３４】
0004657277.tif 000035